(57)【特許請求の範囲】
【請求項１】
入力されるディジタル映像信号を記録媒体に記録し、該記録したディジタル映像信号を再生するディジタル映像信号記録再生装置において、
エンドレスに記録可能なディスク状記録媒体にディジタル映像信号を記録し、
該記録したディジタル映像信号を再生する第１の記録再生手段と、
該ディスク状記録媒体よりアクセス時間が長く、記録容量が大きいテープ状記録媒体にディジタル映像信号を記録し、該記録したディジタル映像信号を再生する第２の記録再生手段と、
前記入力ディジタル映像信号を前記第１の記録再生手段により前記ディスク状記録媒体にエンドレスで記録する第１の動作と、該第１の動作により前記ディスク状記録媒体に記録された信号のデータ量が、前記ディスク状記録媒体の記録容量以下の所定量に達する毎に、前記ディスク状記録媒体に記録された信号を再生し、前記第２の記録再生手段により前記テープ状記録媒体に記録する第２の動作と、前記第２の記録再生手段により前記テープ状記録媒体に記録された信号を再生し、前記第１の記録再生手段により前記ディスク状記録媒体に記録する第３の動作と、該第３の動作により前記ディスク状記録媒体に記録された信号を再生して出力する第４の動作とを時分割で実行させる制御手段とを備え、
前記第２の記録再生手段が記録再生可能なディジタル映像信号の単位時間当たりのデータ量は、当該装置に入力されるディジタル映像信号の単位時間当たりのデータ量に比べて充分に大きく、前記第２の記録再生手段は間欠動作により前記第２の動作を実行すると共に、前記間欠動作の休止期間中に前記第３の動作を実行するようにしたことを特徴とするディジタル映像信号記録再生装置。
【請求項２】
前記ディスク状記録媒体に記録されているディジタル映像信号における所定シーンを繰り返し再生する際には、前記第４の動作により繰り返し再生映像を得るようにしたことを特徴とする請求項１に記載のディジタル映像信号記録再生装置。
【発明の詳細な説明】
【０００１】
【発明の属する技術分野】
本発明は、ディジタル映像信号を長時間に亘って記録するとともに、記録した映像信号を再生するディジタル映像信号記録再生装置に関する。
【０００２】
【従来の技術】
例えば道路や自動現金支払機等の監視用ビデオカメラにより撮影されて得られる画像信号を記録する場合には、２４時間以上の長時間の記録を行うことが要求される。例えば、データレートが４メガビット／秒（＝５００キロバイト／秒）の動画（あるいは連続する静止画）による監視システムでは、１日分のデータ量は、５００ＫＢ／ｓｅｃ×６０×６０×２４＝４３．２ギガバイトにもなる。したがって、ＨＤＤ（ハードディスクドライブ）やＭＯＤ（光磁気ディスクドライブ）などは、記録容量が数ギガバイト程度であるため、このような長時間の記録には適さない。このため、例えば特開平８−２３７６００号公報に示されるような従来のＨＤＤ等を用いたシステムでは、画像の質を落としてデータレートを下げ、全体の容量を抑えることで対応している。
【０００３】
また、間欠記録を行うことにより長時間の記録を可能としたタイムラプスＶＴＲ（ビデオテープレコーダ）も、監視用ビデオカメラの画像信号の記録に従来より使用されている。
さらに、例えばＤＡＴ（ディジタルオーディオテープレコーダ）を用いたディジタルデータ記録装置において、データが確実に記録されたことを確認するためのＲＡＷ（Ｒｅａｄ  Ａｆｔｅｒ  Ｗｒｉｔｅ）という機能が知られている。このＲＡＷは、データの記録処理中に記録ヘッドとは別のヘッドにより記録したデータを再生して記録済みデータの確認を行い、正しく記録されていないことが判明したときは、記録したデータを保持、遅延して、テープの別の場所に再記録する機能である。
【０００４】
【発明が解決しようとする課題】
先ず、ＨＤＤ、ＭＯＤ等を用いたデータ記録装置では、画質を落とさない場合には、１ギガバイトのリムーバブルＨＤＤを用いると、１日分の４３．２ギガバイトを記録するのに４４個のハードディスクカセットを必要とし、過去のデータの保管や整理に手間がかかり、システムの運用コストが高いという問題がある。また、データ量を減らす場合には、画質が落ちるという問題がある。
【０００５】
また、タイムラプスＶＴＲは、大量のデータを１つのカセットに記録できるため保管に便利であるが、間欠記録を行うため必要な場面（瞬間）が記録されていない場合があるという欠点、見たい部分を検索して表示させるまでの時間、すなわちアクセス時間が長いという欠点、及びテープの同じ箇所を何度も往復して再生するとその部分が劣化する（ドロップアウト、きず、ノイズ等の原因となる）という欠点があった。
【０００６】
また、従来のＲＡＷ機能を有する装置では、再生用の追加ヘッド及び再生信号と記録信号が干渉しないようにするための追加回路が必要となり、さらに記録済みデータ確認及び再記録のためのデータ保持遅延処理、データを別位置に再記録したことを示すための処理、再生時に部分的に別位置に記録したデータを再生する処理等が必要となる。そのため、システムが複雑化して高価であった。
【０００７】
本発明は上述した点に鑑みなされたものであり、低コストで大量のデータを連続して確実に記録でき、従来の装置に比べて使い勝手を向上させたディジタル映像信号記録再生装置を提供することを目的とする。
【０００８】
【課題を解決するための手段】
上記目的を達成するため請求項１に記載の発明は、入力されるディジタル映像信号を記録媒体に記録し、該記録したディジタル映像信号を再生するディジタル映像信号記録再生装置において、エンドレスに記録可能なディスク状記録媒体にディジタル映像信号を記録し、記録したディジタル映像信号を再生する第１の記録再生手段と、該ディスク状記録媒体よりアクセス時間が長く、記録容量が大きいテープ状記録媒体にディジタル映像信号を記録し、該記録したディジタル映像信号を再生する第２の記録再生手段と、前記入力ディジタル映像信号を前記第１の記録再生手段により前記ディスク状記録媒体にエンドレスで記録する第１の動作と、該第１の動作により前記ディスク状記録媒体に記録された信号のデータ量が、前記ディスク状記録媒体の記録容量以下の所定量に達する毎に、前記ディスク状記録媒体に記録された信号を再生し、前記第２の記録再生手段により前記テープ状記録媒体に記録する第２の動作と、前記第２の記録再生手段により前記テープ状記録媒体に記録された信号を再生し、前記第１の記録再生手段により前記ディスク状記録媒体に記録する第３の動作と、該第３の動作により前記ディスク状記録媒体に記録された信号を再生して出力する第４の動作とを時分割で実行させる制御手段とを備え、前記第２の記録再生手段が記録再生可能なディジタル映像信号の単位時間当たりのデータ量は、当該装置に入力されるディジタル映像信号の単位時間当たりのデータ量に比べて充分に大きく、前記第２の記録再生手段は間欠動作により前記第２の動作を実行すると共に、前記間欠動作の休止期間中に前記第３の動作を実行するようにしたことを特徴とする。
【０００９】
請求項２に記載の発明は、請求項１に記載のディジタル映像信号記録再生装置において、ディスク状記録媒体に記録されているディジタル映像信号における所定シーンを繰り返し再生する際には、前記第４の動作により繰り返し再生映像を得るようにしたことを特徴とする。  
【００１７】
【発明の実施の形態】
以下本発明の実施の形態を図面を参照して説明する。
（第１の実施形態）
図１は本発明の第１の実施形態にかかるディジタルデータ記録再生装置の構成を示すブロック図である。本実施形態の装置は、監視用ビデオカメラによって撮影された画像信号をディジタル化したディジタル画像信号を入力ディジタル信号とし、これを記録再生するものである。この装置は、ＭＰＥＧ（Ｍｏｔｉｏｎ  ＰｉｃｔｕｒｅＥｘｐｅｒｔｓ  Ｇｒｏｕｐ）の規格に準拠した画像圧縮処理を行う画像圧縮処理部１と、ＣＰＵ（Ｃｅｎｔｒａｌ  Ｐｒｏｃｅｓｓｉｎｇ  Ｕｎｉｔ）４と、ＲＡＭ（Ｒａｎｄｏｍ  Ａｃｃｅｓｓ  Ｍｅｍｏｒｙ）からなるＣＰＵバッファ５とを含む制御部２と、画像圧縮処理部１における画像圧縮処理に対応した画像伸張処理を行う画像伸張処理部３と、第１の記録再生手段（または記録再生手段）としてのハードディスク装置（以下「ＨＤＤ」という）６と、第２の記録再生手段（または記録手段若しくは再生手段）としてのデータテープレコーダ（以下「ＤＴＲ」という）７と、ＤＴＲ７により記録再生するデータを一時的に記憶するＤＴＲバッファ８と、使用者が記録、再生等の指示を与えるための操作部２１とを備えており、制御部２、ＨＤＤ６及びＤＴＲバッファ８は、インタフェースバス（例えばＳＣＳＩ（Ｓｍａｌｌ  Ｃｏｍｐｕｔｅｒ  Ｓｙｓｔｅｍ  Ｉｎｔｅｒｆａｃｅ）２に準拠したもの）１０を介して相互に接続されている。制御部２は、制御プログラムを格納したＲＯＭ（図示せず）及び演算用のＲＡＭ（図示せず）を有し、ＲＯＭに格納された制御プログラムにしたがって、ＨＤＤ６及びＤＴＲ７の動作をインタフェースバス１０を介して制御可能に構成されている。
【００１８】
ＨＤＤ６は、周知のようにハードディスクと呼ばれる磁気ディスク（第１の記録媒体）にデータを書き込み（記録し）、該書き込んだデータを読み出す（再生する）ものである。図２は、ＨＤＤ６によるデータの書き込み及び読み出しを説明するための説明図であり、磁気ディスク上の領域Ｒ１、Ｒ２、Ｒ３…の順に順次データを書き込み、領域ＲＬＡＳＴまで書き込んだ後は、また領域Ｒ１に戻ってエンドレスでデータの書き込みを行うことができる。また読み出しは、領域Ｒ１、Ｒ２、…毎に行うことも、また例えば領域Ｒ１からＲ３までをまとめて読み出すこともできる。なお、図２は説明図であり、必ずしも磁気ディスクの扇形の領域を単位としてデータの書き込みを行うことを意味するものではない。
【００１９】
ＤＴＲ７は、磁気ディスクより記録（記憶）容量が大きく、単位データ量当たりのコストが安価であるが、アクセス時間が長い磁気テープ（第２の記録媒体）にデータを記録し、該記録したデータを再生するものである。ＤＴＲ７としては、例えばＤ−ＶＨＳ規格に準拠したＤＴＲを採用する。Ｄ−ＶＨＳ規格に準拠したＤＴＲは、標準で１３．８Ｍｂｐｓ（メガビット／秒）のデータレートでディジタルデータの記録再生を行うことができるものであり、ＶＨＳ規格のＶＴＲと同様の機構を使用し、磁気テープを磁気ヘッドで斜めに走査してデータを記録し、再生する。Ｄ−ＶＨＳ規格に準拠したＤＴＲの詳細は例えば特開平８−２７５１０２号公報に示されている。すなわち、ＤＴＲ７の記録再生データレートＤＲ２は、本実施形態では１３．８Ｍｂｐｓである。
【００２０】
図４は、入力ディジタルデータを記録する場合の動作を説明するための図であり、この図も参照しつつ図１の装置の記録時の動作を説明する。以下に説明する動作は、制御部２がＨＤＤ６及びＤＴＲ７を制御することにより実行される。
図１において、画像圧縮処理部１は、入力画像信号の圧縮処理を行い、該処理後のディジタルデータをデータレートＤＲ１（例えば１．３８Ｍｂｐｓ）で、ＣＰＵ４に入力する（図４（ａ）参照）。ＣＰＵ４は、入力データをＣＰＵバッファ５及びインタフェースバス１０を介してデータレートＤＲ３（例えば２０Ｍｂｐｓ）でＨＤＤ６に転送し、ＨＤＤ６は、磁気ディスクにデータを書き込む（図４（ｂ）参照）。ここで、データレートＤＲ３は、入力データレートＤＲ１に対して非常に大きい（約１５倍）ので、ＣＰＵバッファ５に所定データ量ＤＡ１（例えば４０Ｍｂｉｔ）蓄積される毎（時間Ｔ１毎）に、短い時間Ｔ３（図４（ｂ））でＨＤＤ６への書き込みを行う。なお、このときＨＤＤ６の書き込み単位は、図２に示した領域Ｒ１、Ｒ２、…にそれぞれ相当する。
【００２１】
なお、図４は、同図の時間軸（横軸）上の縦軸の時刻（時間軸と縦軸との交点の時刻）から記録を開始した状態を示すものではなく、長時間の記録動作の一部（ＨＤＤ６からＤＴＲバッファ８へのデータの転送が実行されるタイミング）を抜き出して示したものである。
【００２２】
図３は、バッファを使用したデータレートの変換を説明するための図であり、入力データレート（ＣＰＵバッファ５の場合、ＤＲ１）に応じた書き込みクロックでデータをバッファに書き込み、出力データレート（ＣＰＵバッファ５の場合、ＤＲ３）に応じた読み出しクロックでデータをバッファから読み出すことにより、データレートの変換を行うことができる。
【００２３】
ＨＤＤ６に書き込まれたデータは、そのデータ総量が所定量ＤＡ２に達する毎に、ＣＰＵバッファ５からＨＤＤ６への書き込みが実行されていない期間において、データレートＤＲ３でＤＴＲバッファ８に転送され、ＤＴＲ７による記録が行われる（図４（ｃ）（ｄ））。所定量ＤＡ２は、最大でもＨＤＤ６の記録容量（記憶容量）ＤＨＤＤＭＡＸ以下に設定する必要があるが、本実施形態では、記録動作と後述する再生動作とを時分割で実行するので、所定量ＤＡ２の最大値は、記録容量ＤＨＤＤＭＡＸの１／２程度の値に設定している。図４（ｃ）、（ｄ）に実線で示す例では、図４（ｂ）に示す時間Ｔ３のＨＤＤ６への書き込み動作１０回に対して時間Ｔ４のＤＴＲバッファ８への書き込み動作１回を行うようにしている。ＤＴＲ７による記録データレートＤＲ２は、上記したように１３．８Ｍｂｐｓであって、データレートＤＲ３より小さいので、ＤＴＲ７の記録動作は時間Ｔ２（＞Ｔ４）に亘って実行される。ここでＤＲ２×Ｔ２＝ＤＲ３×Ｔ４である。
【００２４】
また、ＤＴＲ７は、磁気テープを記録媒体に用いるためあまり短時間（数十秒程度）の記録動作より、ある程度まとまった時間の記録動作を行う方が望ましいので、例えば、、図４（ｃ）、（ｄ）に破線で示すように、時間Ｔ３のＨＤＤ６への書き込み２０回に対して、時間Ｔ４のＤＴＲバッファ８への書き込みを２回連続して行うようにしてもよい。この場合、時間Ｔ２＝時間Ｔ１となるように、時間Ｔ４（＝Ｔ２×ＤＲ２／ＤＲ３）を設定することにより、図４（ｄ）に示すように、ＤＴＲバッファ８からＤＴＲ７への記録（実線の動作と破線の動作）を連続させることができる。
【００２５】
なお、図４（ｃ）の時間Ｔ６、Ｔ７は、ＨＤＤ６の読み出しと書き込みの処理切換のための時間（シークタイム）であり、読み出しアドレスと書き込みアドレスに依存して変化するものである。したがって、シークタイムの最大値を考慮して、時間Ｔ１及びＴ４の設定を行う。
【００２６】
データレートＤＲ１〜ＤＲ３及び時間Ｔ１〜Ｔ４は例えば、ＤＲ１＝１．３８Ｍｂｐｓ、ＤＲ２＝１３．８Ｍｂｐｓ、ＤＲ３＝２０Ｍｂｐｓ、Ｔ１＝Ｔ２＝２９秒、Ｔ３＝２秒、Ｔ４＝２０秒とする。この場合、ＤＴＲバッファ８の最小限の容量は、ＤＲ２×（Ｔ２−Ｔ４）で与えられるので、１２５Ｍｂｉｔである。
【００２７】
次に図５を参照して再生時の動作を説明する。同図の例は、ＤＴＲ７を時間Ｔ２だけ再生動作させる場合を示しており、ＤＴＲ７により磁気テープから再生された再生データは、ＤＴＲバッファ８でデータレートが変更され、ＨＤＤ６に書き込まれる（同図（ａ）（ｂ））。このときデータレートＤＲ１で入力される入力データの記録も継続するので、同図（ｃ）に示すように、時間Ｔ１毎の記録データの時間Ｔ３におけるＨＤＤ６への書き込み動作も実行されている。したがって、再生データのＨＤＤ６への書き込みは、記録データの書き込みが実行されていない期間に行われる。前述したように、本実施形態ではＨＤＤ６の記録容量ＤＨＤＤＭＡＸの約半分の容量ＤＨＤＤＲＥＣを、記録データの書き込みに使用し、残りの半分の容量ＤＨＤＤＰＢを再生データの書き込みに使用するようにしているので、このように記録データの書き込みと再生データの書き込みを時分割で実行することができる。
【００２８】
ＨＤＤ６に書き込まれた再生データは、同図（ｄ）に示すように、読み出される。すなわち、時間Ｔ１１（≦Ｔ３）の読み出し動作が時間Ｔ１２毎に実行され、読み出された再生データはＣＰＵバッファ５（上記した記録時とは逆方向にデータが流れる）に書き込まれる。そして、直前のＨＤＤ６の書き込み動作の終了時点からＣＰＵ処理に要する時間Ｔ１５だけ遅れて、再生データが制御部２からデータレートＤＲ１で画像伸張処理部３に出力される。画像伸張処理部３は、入力データの伸張処理を行い、該処理後の画像信号を出力する。出力画像信号は、例えばＣＲＴディスプレイに供給され、画面上に表示される。この場合、ＣＰＵ４は、記録中の画像信号と、再生中の画像信号とを並べて１つ画面を構成し、ＣＲＴディスプレイ上に記録中の入力画像信号と、再生画像信号とを並べて表示することが望ましい。もちろん、使用者の選択により、記録中の入力画像信号のみの表示、再生画像信号のみの表示、または両者を並べた画像の表示を切り換えて表示できるようにしてもよい。また、ＤＨＤＤＰＢ上に再生データを転送した後にＤＨＤＤＰＢの確認済みの領域に再生データを重ね書きすれば、テープ上の別位置（別時刻）のデータを続けて表示することもできる。
【００２９】
なお、上記再生動作の処理時間が長くなると、記録データ量がＨＤＤ６の記録データ用の記憶容量ＤＨＤＤＲＥＣを越えてしまうので、本実施形態では、例えば記録データ量が記録データ用記憶容量ＤＨＤＤＲＥＣの８０％に達した時刻で、使用者にその旨知らせるための注意信号が出力される。この注意信号は、出力画像信号と合成され、ディスプレイ上に表示されることが望ましい。なお注意信号は、ディスプレイに表示するものに限らず、例えば音声信号であってもよい。なお、これらの制御は、例えばＣＰＵ４によって行われるものとする。
【００３０】
図６は、図５に示す再生動作の変形例を説明するための図である。この変形例では、ＤＴＲバッファ８からＨＤＤ６への書き込み動作を、時間Ｔ１６で３回に分けて実行するようにしている。これにより、使用者が再生動作を開始してから、実際にＣＰＵ４からの再生データの出力を、１回目のＨＤＤ６への書き込み動作の終了時点から時間Ｔ１５だけ遅れた時点から開始することができる（図６（ｅ））。すなわち、使用者による再生指示から再生画像出力までの時間を図５に比べて短縮し、使い勝手を向上させることができる。
【００３１】
以上のように本実施形態の装置では、入力画像データをＨＤＤ６に書き込む動作と、ＨＤＤ６に書き込まれたデータがある程度まとまった段階でデータを読み出してＤＴＲ７に記録する動作とを時分割で実行するようにしたので、長時間連続して入力されるデータを低コストで確実に記録することができる。すなわち、従来のＨＤＤのみによる記録のように記録媒体が膨大な量になるという不具合や、タイムラプスＶＴＲのように間欠記録による必要な瞬間のデータの欠落といった不具合がなく、使い勝手を向上させたコストパーフォーマンスの高いディジタルデータ記録装置を実現することができる。
【００３２】
また再生動作は常にＨＤＤ６を介して実行されるので、同じ箇所を繰り返し再生する場合も、ＨＤＤ６上で再生処理が行われるので、ＤＴＲ７の磁気テープを劣化させることがない。また、繰り返して再生する場合のアクセス時間を大幅に短縮することができる。
【００３３】
さらに記録動作と時分割で、再生動作も行うようにしたので、記録動作を中断することなく、記録したデータの再生を行うことができる。また記録画像と、再生画像とを同時にディスプレイに表示することが可能となる。
また上述したデータ例では、入力データレートＤＲ１＝１．３８Ｍｂｐｓ、ＤＴＲ６の記録再生データレートＤＲ２＝１３．８Ｍｂｐｓであるので、例えば３０分の間に約３分間だけ、ＤＴＲ７の記録動作を行えば、すべての入力データを連続して記録できるので、使用時間との対比でＤＴＲ７のＭＴＢＦ（平均故障時間間隔）、特に磁気ヘッドの寿命を大幅に延ばすことができる。
【００３４】
（第２の実施形態）
本実施形態は、ハードウエアの構成及び基本的な記録再生動作は、第１の実施形態と同一とし、さらにＲＡＷ（Ｒｅａｄ  Ａｆｔｅｒ  Ｗｒｉｔｅ）機能を実現する動作を、制御部２の制御により実行するようにしたものである。以下、図７及び８を参照して、この動作を説明する。
【００３５】
すなわち、上述したデータ例を用いると、ＤＲ２＝１０×ＤＲ１であるので、３０分間の入力データを約３分間でＤＴＲ７により磁気テープに記録し（図８、処理Ｐ１）、残りの２７分間（以下「非記録時間」という）はＤＴＲ７は停止している。そこで、本実施形態では、この非記録時間中に磁気テープに記録したデータを再生し（図８、処理Ｐ２）、その再生データをＨＤＤ６に書き込み、ＨＤＤ６に残されている、その再生データに対応する元データと、その再生データとをＣＰＵ４へ送り（図７（ｂ）、時間Ｔ１７）、ＣＰＵ４にてこれらのデータの照合を行う（処理Ｐ３）。そして、その照合の結果、磁気テープに正確に記録されたことが確認されたとき（再生データ＝元データであったとき）は、停止状態に移行して、次の記録動作タイミングでＤＴＲ７の記録動作を行う（処理Ｐ１）。一方、照合の結果、再生データに誤りがあったとき（再生データ≠元データであったとき）は、その元データをＤＴＲ７により再度記録する動作（処理Ｐ４）及び再記録したデータの再照合動作（処理Ｐ５、Ｐ６）を行って、次の記録動作タイミングでＤＴＲ７の記録動作を行う（処理Ｐ１）。再記録する場合には、磁気テープにきず等の欠陥がある可能性を考慮して、磁気テープ上の別の位置に記録するようにしてもよい。
【００３６】
上記照合は、当然のことながらＨＤＤ６に記録されている元データが上書きされる（消去される）前に実行する必要がある。したがって、ＤＴＲ７による１回の記録動作終了後、直ちに照合を行うことが望ましい。
ここで、一般的なＤＴＲは、特開平８−２７５１０２号公報に記載されているように、記録データに誤り訂正符号データを付加して記録を行い、再生時のデータ誤り（比較的小さなドロップアウト、きず等による磁気テープのエラー）を誤り訂正符号によって訂正して再生データを出力する。誤り訂正符号データが多いほどこの訂正能力が高い傾向にある。しかし、大きなドロップアウトによるデータ誤りは上記した誤り訂正符号では訂正しきれない場合があり、再生データのエラーとなる。
【００３７】
一方、パリティ符号に代表されるように訂正符号は訂正できなかったことを誤り訂正の演算から特定することができる。すなわち、再生データ内のエラーの有無やその数、規模等はＤＴＲの再生プロセス中の訂正符号演算内のエラー表示によって確認することができる。
【００３８】
そこで、上記したエラー表示を確認する手段をＤＴＲ７内に付加し、再生データのエラーをＤＴＲ７内で検出することによって正しい記録が行われたことを確認することで、ＨＤＤ６への再生データの転送、ＨＤＤ６で再生データを書き込むための領域確保、ＨＤＤ６において元データと再生データとを照合するプロセス等を省略してもよいことはもちろんである。
【００３９】
図８は、１回の再記録再照合プロセスの実行により、正確な磁気テープへの記録が行われた例を示しているが、再生データ≠元データの状態がつづくときは、再記録再照合プロセスを繰り返す。その場合、記録動作（例えば３０分間に３分間の記録動作）を妨げることがないようにする。
【００４０】
以上のように本実施形態によれば、従来高価であったＲＡＷ機能を、ハードウエアを何ら追加することなく安価に実現することができる。
なお、ＤＴＲ７により一定量のデータを記録するのに要する時間ＴＲＥＣと、そのデータを再生するのに要する時間ＴＰＢとはほぼ等しいので、記録動作と時分割で上記照合動作を行うためには、データレートＤＲ２は、少なくともデータレートＤＲ１の２倍より大きいことが必要である。また照合により正しく記録されていないことが判明したときに、再記録動作を１回実行可能とするためには、さらに時間ＴＲＥＣを要するので、データレートＤＲ２は、少なくともデータレートＤＲ１の３倍より大きいことが必要である。
【００４１】
（その他の実施形態）
本発明は上述した実施形態に限定されるものではなく種々の変形が可能である。例えば、上述した図１の構成では、ＨＤＤ６の全体の記憶容量をほぼ２分割して、約半分の容量を記録データの書き込みに使用し、残りの約半分の容量を再生データの書き込みに使用するようにしたが、これに限るものではなく、入力データレート、ＨＤＤ６の全記憶容量、連続して再生可能な時間、ＤＴＲ７の記録動作の時間間隔等を考慮して、装置のコストやニーズに合った設定をすればよい。また図９（ａ）に示すように、図１の構成に対してＨＤＤ１１を追加し、一方を記録データ用とし、他方を再生データ用としてもよい。また図９（ａ）の構成において、一方のＨＤＤ６を書き込み専用とし、他方のＨＤＤ１１を読み出し専用とし、ＨＤＤ６の全領域への書き込みが終了後は、逆にＨＤＤ１１を書き込み専用とし、ＨＤＤ６を読み出し専用として使用し、以後同様に書き込み用ＨＤＤと読み出し用ＨＤＤを切り換えて使用するようにしてよい。
【００４２】
また、同図（ｂ）に示すように、図１の構成に対してＤＴＲ１２及びＤＴＲバッファ１３を追加し、一方のＤＴＲを記録用とし、他方のＤＴＲを再生用として使用するようにしてもよい。１つのＤＴＲで、記録中のテープと異なるテープを再生しようとする場合には、記録動作を行っていない期間にテープを入れ換えて、再生する必要があり、また記録中のテープの記録済みの部分を再生する場合でも、記録動作を行うときは、再生動作を中断する必要があるが、図９（ｂ）に示す構成によれば、このようなカセットの入れ換えや再生の中断をなくすことができる。
【００４３】
また、画像圧縮処理部１のおけるデータ量圧縮処理は、ＭＰＥＧ規格に準拠したものに限らず、ＪＰＥＧ（Ｊｏｉｎｔ  Ｐｈｏｔｏｇｒａｐｈｉｃ  Ｅｘｐｅｒｔｓ  Ｇｒｏｕｐ）規格に準拠したものでもよく、あるいは圧縮処理ではなく、画素の間引き処理を行う画像間引き処理部に代えてもよいし、これらを併用してもよい。
【００４４】
また、上述した実施形態では、圧縮処理後のデータレートＤＲ１が一定の場合を示したが、画像圧縮処理部１における圧縮率を一定とし、画像の内容によってデータレートＤＲ１が変動する場合でもよいことはいうまでもない。ＣＰＵバッファ５に格納されるデータ量を監視して、ＨＤＤ６への書き込み時間間隔Ｔ１や書き込み時間Ｔ３を適宜変更すればよい。
【００４５】
また、入力ディジタルデータは、ディジタル化された画像信号に限るものではく、本発明の装置を例えば通信回線を介して送受信されるテキスト情報などを含む一般的なディジタルデータの監視装置に適用し、一般的なディジタルデータの記録再生に使用してもよい。あるいは、ディジタル化された画像信号及び音声信号の組合わせを入力ディジタルデータとしてもよい。
【００４６】
また、ＨＤＤ６は、大容量の半導体メモリ（ＲＡＭ）に代えてもよい。
また、上述した実施形態では、制御部２と、ＨＤＤ６と、ＤＴＲ７及びＤＴＲバッファ８とをインタフェースバス１０により相互に接続するようにしたが、通信回線を介してこれらの構成要素を相互に接続するようにしてよい。
【００４７】
また、上述した実施形態では、ディジタルデータの記録及び再生を行う記録再生装置を示したが、記録機能のみの記録装置または再生機能のみの再生装置としてよい。
【００４８】
【発明の効果】
以上詳述したように請求項１に記載のディジタル映像信号記録再生装置によれば、入力ディジタル映像信号を第１の記録再生手段によりディスク状記録媒体にエンドレスで記録する第１の動作と、該第１の動作によりディスク状記録媒体に記録された信号のデータ量が、ディスク状記録媒体の記録容量以下の所定量に達する毎に、ディスク状記録媒体に記録された信号を再生し、第２の記録再生手段により、ディスク状記録媒体よりアクセス時間が長く大容量のテープ状記録媒体に記録する第２の動作と、第２の記録再生手段によりテープ状記録媒体に記録された信号を再生し、第１の記録再生手段によりディスク状記録媒体に記録する第３の動作と、該第３の動作によりディスク状記録媒体に記録された信号を再生して出力する第４の動作とが時分割で実行されるので、長時間連続して入力される全映像信号を確実に記録することができ、しかも記録された記録媒体の量が膨大なものとなる不具合を回避することができる。さらに間欠動作により前記第２の動作が実行され、その間欠動作の休止期間中に前記第３の動作が実行されるので、記録動作を中断することなく、記録した映像信号の再生を行うことができる。
【００４９】
請求項２に記載の発明によれば、ディスク状記録媒体に記録されているディジタル映像信号における所定シーンを繰り返し再生する際には、前記第４の動作により繰り返し再生映像が得られるので、同じ箇所を繰り返し再生しても、テープ状記録媒体を劣化させることがなく、また繰り返して再生する場合のアクセス時間を大幅に短縮することができる。
【図面の簡単な説明】
【図１】本発明の実施の一形態にかかるディジタルデータ記録再生装置の構成を示すブロック図である。
【図２】エンドレス記録を説明するための図である。
【図３】バッファによるデータレートの変換を説明するための図である。
【図４】図１の装置の記録動作を説明するための図である。
【図５】図１の装置の再生動作を説明するための図である。
【図６】図１の装置の再生動作を説明するための図である。
【図７】図１の装置の照合動作を説明するための図である。
【図８】図１の装置の照合動作、再記録再照合動作を説明するための図である。
【図９】図１の構成の変形例の構成を示すブロック図である。
【符号の説明】
２  制御部（制御手段）
４  ＣＰＵ（Central Processing Unit）
５  ＣＰＵバッファ
６  ハードディスク装置（第１の記録再生手段）
７  データテープレコーダ（第２の記録再生手段）
８  ＤＴＲバッファ
１０  インタフェースバス
【図１】
0003552453.tif 000002
【図２】
0003552453.tif 000003
【図３】
0003552453.tif 000004
【図４】
0003552453.tif 000005
【図５】
0003552453.tif 000006
【図６】
0003552453.tif 000007
【図７】
0003552453.tif 000008
【図８】
0003552453.tif 000009
【図９】
0003552453.tif 000010